(57)【要約】【課題】トレーの出し入れをスムーズに行うことを可能にした加熱調理器を提供する。【解決手段】加熱装置が設けられた調理庫２０の開口部から、被加熱物を保持する引出体３０を出し入れする加熱調理器であって、上記調理庫の内側両側部及び上記引出体の外側両側部の間に、ローラー２２、３４と、該ローラーに係合され上記引出体の出し入れ動作によって該ローラーに対して相対移動するローラーガイド２３、３３とが介装されたものにおいて、上記ローラーガイドの上記ローラーとの重力方向の係合面に、上記調理庫の幅方向中央部側が低く形成された傾斜面３３ａ、２３１ａを含むことを特徴とする。【選択図】図３
2011144971.tif 000002
【特許請求の範囲】
【請求項１】
加熱装置が設けられた調理庫の開口部から、被加熱物を保持する引出体を出し入れする加熱調理器であって、上記調理庫の内側両側部及び上記引出体の外側両側部の間に、ローラーと、該ローラーに係合され上記引出体の出し入れ動作によって該ローラーに対して相対移動するローラーガイドとが介装されたものにおいて、上記ローラーガイドの上記ローラーとの重力方向の係合面に、上記調理庫の幅方向中央部側が低く形成された傾斜面を含むことを特徴とする加熱調理器。
【請求項２】
上記ローラーは、上記傾斜面との係合部が面取り加工されていることを特徴とする請求項１記載の加熱調理器。
【請求項３】
上記調理庫の開口部の内側近傍下部に回転自在に設けられた一対の第１のローラーと、上記引出体の外側両側部に形成された、上記第１のローラーに係合する一対の第１のローラーガイドと、上記引出体の奥外側両側部に回転自在に設けられた一対の第２のローラーと、上記調理庫の内側両側部に設けられた、上記第２のローラーと係合する一対の第２のローラーガイドとを備えたことを特徴とする請求項１または請求項２記載の加熱調理器。
【請求項４】
上記第１のローラーガイドは、上記引出体の前方側からみて、上記傾斜面の下端部に連なる鉛直面部が形成されてなることを特徴とする請求項３記載の加熱調理器。
【請求項５】
上記第１のローラーガイドは、上記引出体の前方側からみて、上記傾斜面の上端部に連なる水平面部が形成されてなることを特徴とする請求項４記載の加熱調理器。
【請求項６】
上記第２のローラーガイドは、上記第２のローラーを重力方向に支持する上記傾斜面からなる下側係止部と、この下側係止部の上方に面対称的に設けられ、上記第２のローラーの上方向への移動を制限する上部傾斜面部からなる上側係止部とによって形成された凹部からなることを特徴とする請求項３から請求項５の何れかに記載の加熱調理器。
【請求項７】
上記下側係止部は、上記傾斜面の下端部に連なる水平面部を有し、上記上側係止部は、上記上部傾斜面部の上端部に連なる上部水平面部を有してなることを特徴とする請求項６記載の加熱調理器。
【請求項８】
上記両側部に設けられた各ローラーが上記傾斜面に常時係合されていることを特徴とする請求項１から請求項７の何れかに記載の加熱調理器。
【発明の詳細な説明】
【技術分野】
【０００１】
本発明はロースターグリルなどの調理庫を有する加熱調理器に関するものである。
【背景技術】
【０００２】
加熱調理器のトレーの出し入れは、熱負荷時の変形や構成部品が多いことによって摺動摩擦の増加やガタ量のばらつきにより操作性に関する不具合が多く発生している。トレーの出し入れをスムーズに行うことができるようにした従来の加熱調理器として、グリル庫とグリル皿と、扉と把手が一体となったグリル扉と、前記グリル皿を保持し前記グリル扉に固定された線状のグリル皿保持装置と前記グリル皿保持装置の接触部を内接せしめるＵ字状溝を設けた前記グリル庫に固定されたガイド金具を備えるようにしたものがある（例えば特許文献１参照）。
【先行技術文献】
【特許文献】
【０００３】
【特許文献１】特開２００５−２７６９１号公報（要約、図１、図２）
【発明の概要】
【発明が解決しようとする課題】
【０００４】
上記のような従来の加熱調理器は、ガイド金具のＵ字状溝に、グリル扉に固定された線状のグリル皿保持装置の接触部を内接させるようにしたものであるが、ガイド金具のＵ字状溝とグリル皿保持装置との間、特にその左右方向には隙間があり、グリル皿保持装置の出し入れの際にガタついて出し入れをスムーズに行うことが困難になる場合もあるという課題があった。
【０００５】
本発明は、上記のような従来技術の課題を解消するためになされたものであり、引出体（トレー）の出し入れを、簡素な構造で高級感をもってスムーズに行うことを可能にした加熱調理器を提供することを目的としている。
【課題を解決するための手段】
【０００６】
本発明に係る加熱調理器は、加熱装置が設けられた調理庫の開口部から、被加熱物を保持する引出体を出し入れする加熱調理器であって、上記調理庫の内側両側部及び上記引出体の外側両側部の間に、ローラーと、該ローラーに係合され上記引出体の出し入れ動作によって該ローラーに対して相対移動するローラーガイドとが介装されたものにおいて、上記ローラーガイドの上記ローラーとの重力方向の係合面に、上記調理庫の手前からみて幅方向中央部側が低く形成された傾斜面を含むようにしたものである。
【発明の効果】
【０００７】
本発明によれば、ローラーガイドのローラーとの重力方向の係合面に、調理庫の幅方向中央部側が低く形成された傾斜面を含むようにしたので、引出体に働く自重のベクトル方向が調理庫の幅方向の中央側へ変化される。このため、引出体に対して常に調理庫中心方向への力が働くように調整されるので、引出体の出し入れの操作性が改善され、高級感をもってスムーズに行うことができる。また、構成が簡素なので安価に提供できる。
【図面の簡単な説明】
【０００８】
【図１】本発明の実施の形態１に係る加熱調理器の外観を示す斜視図であり、引出体を操作者の手前側に引き出した状態を示す。
【図２】図１に示されたロースターグリル部の分解斜視図。
【図３】図２に示された調理庫の開口部の内側近傍下部に取り付けられたローラーと引出体のローラーガイドとの係合状態を示す要部断面図。
【図４】図３に示されたローラーガイドのローラーに対する係合部分が斜面部に変移したときの状態を示す要部断面図。
【図５】図２に示された引出体の奥側に取り付けられたローラーと調理庫の内側両側部に設けられたローラーガイドとの係合状態を示す要部断面図。
【図６】図５に示されたローラーがローラーガイドの斜面に乗り上げた状態を示す要部断面図。
【図７】本発明の実施の形態２に係る加熱調理器の調理庫の開口部の内側近傍下部に取り付けられたローラーと引出体のローラーガイドとの係合状態を示す要部断面図。
【図８】本発明の実施の形態２に係る加熱調理器の引出体奥側に取り付けられたローラーと調理庫の内側両側部に設けられたローラーガイドとの係合状態を示す要部断面図。
【発明を実施するための形態】
【０００９】
実施の形態１．
図１〜図６は本発明の実施の形態１に係る加熱調理器としての誘導加熱調理器を説明する図であり、図１は引出体を操作者の手前側に引き出した状態を示す斜視図、図２〜図６は実施の形態１の要部であるロースターグリル部の詳細を示している。なお、各図を通じて同一部分または相当部分には同一符号を付している。図において、ビルトイン式の加熱調理器１は、上部が開口された箱状の本体部２と、周囲に枠材３ａが設けられ、本体部２の上部の開口部分を覆って着脱可能に装着されたトッププレート（天板）３を備えている。そして、トッププレート３上には、調理鍋等を載置する複数の載置部３ｂ、火力表示部４、液晶表示部５、上面操作部６等が設けられている。また、トッププレート３の奥側には吸気口７、排気口８などが設けられている。
【００１０】
本体部２の内部には、何れも図示しないが、トッププレート３の各載置部３ｂに対応して左電磁誘導加熱コイル、右電磁誘導加熱コイル、及び中央ヒーター（例えばラジエントヒーター）からなる加熱部が設置されており、さらに、これら加熱部を制御する制御部、加熱部や制御部を冷却する冷却ファン等が設けられている。また、本体部２の前面側には電源スイッチ等を有する正面操作部９が設けられており、この正面操作部９に隣接して本体部２の前面側にロースターグリル１０が設置されている。
【００１１】
ロースターグリル１０は、調理庫２０と、この調理庫２０の前端部に形成された開口部２０ａから出し入れするように設けられた引出体３０によって構成されている。調理庫２０の内部には、奥壁２０ｂに保持された、加熱装置を構成する上ヒーター２１ａがトッププレート３側（上側）に設けられ、同じく奥壁２０ｂに保持された下ヒーター２１ｂが、底部と隙間を隔てた下部に設けられている。引出体３０は開口部２０ａを塞ぐグリル扉３１とグリル扉３１の背面部に固定された被加熱物を容れるトレー３２からなる。グリル扉３１の前面部には操作ハンドル３１ａが設けられている。なお、ロースターグリルはグリルロースター又はグリルなどとも称されるが、ここではロースターグリルと称するものとする。以下、このロースターグリル１０の構成をさらに具体的に説明する。
【００１２】
上記調理庫２０の開口部２０ａの内側近傍下部には図２に示すように引出方向前方側からみて左右一対の第１のローラー２２が支軸２２０に対して回転自在に設けられている。引出体３０を構成するトレー３２の外側の両角部には、図３の断面図に示すように第１のローラー２２に上方部から重力方向に係合する、調理庫２０の手前からみて幅方向中央部側が低く形成された傾斜面３３ａを有する第１のローラーガイド３３が左右一対設けられている。前後方向に伸びて形成された第１のローラーガイド３３は引出体３０の前方側からみて、上記傾斜面３３ａと、傾斜面３３ａの上端部に連なる水平面部３３ｂと、傾斜面３３ａの下端部に連なる鉛直面部３３ｃによって形成され、例えばプレス成型により左右対称的にトレー３２と一体に形成されている。
【００１３】
なお、第１のローラー２２は金属材料などの耐熱性に優れた材料を用いて構成されている。また、その突出側角部には面取り加工されたＣ面２２ａを有し、該Ｃ面２２ａが第１のローラーガイド３３の傾斜面３３ａと係合するように構成されている。この例では、Ｃ面２２ａと傾斜面３３ａの傾斜角度は実質的に同一で約４５°に形成されている。また、Ｃ面２２ａは第１のローラー２２によるトレー３２の第１のローラーガイド３３の傷つきを防止するためにも役立っている。
【００１４】
また、引出体３０を構成するトレー３２の奥外側両側部には、同じく金属材料などの耐熱性に優れた材料からなる左右一対の第２のローラー３４が支軸３４０に対して回転自在に突設されており、該第２のローラー３４は調理庫２０の内壁によって一体的に形成された傾斜面を有するレール形状の断面大凡Ｃ字形状の凹部からなる左右対称的に対向された一対の第２のローラーガイド２３を転動ないしは摺動する構造となっている。
【００１５】
前後方向に伸びるレール状の第２のローラーガイド２３は、調理庫２０を構成する筺体の側壁部に該筺体と一体に形成されている。第２のローラーガイド２３は、図３、図５に示すように第２のローラー３１を重力方向に支持する調理庫の手前からみて幅方向中央部側が低く形成された傾斜面２３１ａ及び該傾斜面２３１ａの下端部に連なる水平面部２３１ｂからなる下側係止部２３１と、この下側係止部２３１の上方に面対称的に設けられ、第２のローラー３４の上方向への移動を制限する上部傾斜面部２３２ａ及び上部水平面部２３２ｂからなる上側係止部２３２とによって構成されている。
【００１６】
なお、この例では調理庫２０を構成する筺体は、図２に示すように上下に２分割され、プレス成型された部材相互を、第２のローラーガイド２３の部分に設けられたフランジ部２４ａ、２４ｂで接合するように形成されている。そして、下側のフランジ部２４ａは傾斜面２３１ａの上端部に連なるように設けられ、上側のフランジ部２４ｂは上部傾斜面部２３２ａの下端部に連なる鉛直面部２３２ｃを介して繋がるように設けられている。その他の構成は従来のものと同様であるので説明を省略する。
【００１７】
次に上記のように構成された実施の形態１の動作について説明する。引出体１０を調理庫２０に出し入れするとき、調理庫２０の開口部２０ａ内側近傍下部に設けられた一対の第１のローラー２２が、引出体３０の外側両側部に形成された一対の第１のローラーガイド３３に係合する一方、引出体３０の奥外側両側部に設けられた一対の第２のローラー３４が、調理庫２０の内側両側部に設けられた一対の第２のローラーガイド２３に係合して相対的に移動する。なお、ローラーとローラーガイドは左右対称的に設けられているので、特に必要のない限り一方の側についてのみ説明する。
【００１８】
第１のローラー２２と第１のローラーガイド３３の位置関係は、図４に示すように、トレー３２が左右に振れると移動した側の第１のローラーガイド３３に設けた傾斜面３３ａが第１のローラー２２に乗り上げたとなる。これにより、トレー３２の自重の負荷方向Ａが傾斜面３３ａによって、トレーが常に調理庫２０の中心方向へ調整される方向の力Ｂとなり、その力Ｂによってトレー３２の直進性が向上される。このため、トレー３２を出し入れするときの操作性が改善される。なお、第１のローラーガイド３３、及び第２のローラーガイド２３のローラーとの係合面の摺動性を高めるために、その表面を例えばホーロー加工したり、フッ素樹脂塗装を施したりすることは好ましい。また、トレー３２や調理庫２０の表面全体をホーロー加工や、フッ素樹脂塗装を施しても良い。
【００１９】
また、第１のローラー２２と同様に、トレー３２の奥外側両側部に設けられた一対の第２のローラー３４と調理庫２０の内壁に形成された第２のローラーガイド２３の傾斜面２３１ａの位置関係は、トレー３２が左右に振れたとき、図５の状態から図６に示すように、調理庫２０の内壁に設けた傾斜面２３１ａに第２のローラー３４の一方が乗り上げる。これにより、トレー３２の自重の負荷方向Ｃが傾斜面２３１ａによって、常に調理庫２０の左右の中心方向へトレー３２の位置を調整させる方向の力Ｄとなり、その力Ｄによってトレー３２の直進性が向上され、操作性が改善される。
【００２０】
グリル扉３１を閉じたとき、トレー３２の奥側に取り付けられた第２のローラー３４は、左右の第２のローラーガイド２３のそれぞれ下側の傾斜面２３１ａによって幅方向（左右方向）の位置が規制される。そして、引出体３０を出し入れ操作するときには、第２のローラーガイド２３の下側の傾斜面２３１ａと上側の上部傾斜面部２３２ａによって、位置が規制されることとなる。どちらの斜面によって位置規制されるかはユーザーの操作時の力やトレー積載重量などに依存する。なお、トレー３２が例えば図６の左方向に大きく変移した場合は第２のローラー３４のテーパー状のＣ面３４ａが上部傾斜面部２３２ａにも当接し、それ以上左方向に移動しないように規制される。このとき、図示していない右側の第２のローラー３４は、第２のローラーガイド２３との係合が保持されている。
【００２１】
上記のように実施の形態１によれば、第１のローラーガイド３３の第１のローラー２２との重力方向の係合面に、調理庫２０の手前からみて幅方向中央部側が低く形成された傾斜面３３ａを設けると共に、第２のローラーガイド２３の第２のローラー３４との重力方向の係合面に、同じく調理庫２０の手前からみて幅方向中央部側が低く形成された傾斜面２３１ａを設けたので、引出体３０の自重のベクトル方向が調理庫２０の左右中心方向へ変化され、引出体３０に常に調理庫２０の中心方向へ向う力が作用するので、操作性が改善され、引出体の出し入れが高級感をもってスムーズに行われる。また、構成が簡単なので、安価に提供することができる。また、第１のローラーガイド３３をトレー３２と一体的に形成すると共に、第２のローラーガイド２３を調理庫２０の筺体と一体に形成したので、部材の種類が縮減され、軽量化、減容化にも貢献できる。
【００２２】
実施の形態２．
次に、この発明の実施の形態２に係る加熱調理器について、図７及び図８を参照して説明する。なお、この実施の形態２は、調理庫２０の開口部２０ａ（図２）側に取り付けた第１のローラー２２に対して、引出体３０側の第１のローラーガイド３３Ａの傾斜面３３ａを常時係合させ、引出体３０の奥外側両側部に取り付けた第２のローラー３４に対して、調理庫２０側の第２のローラーガイド２３Ａの傾斜面２３１ａを常時係合させることで、調理庫２０の幅方向の中心側へ引出体３０が調整される力を常に発生し、その力によってトレーの直進性を向上させることによって操作性を更に改善したものである。
【００２３】
図７に示すように、第１のローラーガイド３３Ａは、傾斜面３３ａの上端部がトレー３２の枠端部３２ａまで伸びて形成され、実施の形態１における水平面部３３ｂ（図３）は設けられていない。また、図８に示すように、第２のローラーガイド２３Ａの下側係止部２３１は、第２のローラー３４を重力方向に支持する傾斜面２３１ａが調理庫２０の側壁部２０ｃの位置まで伸びて形成され、実施の形態１における水平面部２３１ｂ（図３）は設けられていない。また、上側係止部２３２についても同様に実施の形態１における上部水平面部２３２ｂ（図３）は設けられておらず、側壁部２０ｃに直接連なっている。
【００２４】
なお、第１のローラーガイド３３Ａの奥側端部は、図８に示すように、第２のローラー３４の支軸３４０の取付座を確保するために該第２のローラー３４の取り付け部分のみ水平面部３３ｂが形成されている。同様に、第２のローラーガイド２３Ａの手前側端部は、図７に示すように、第１のローラー２２の支軸２２０の取付座を確保するために該第１のローラー２２の取り付け部分のみ水平面部２３１ｂが形成されている。但し、その機能は実施の形態１とは異なっている。この実施の形態２では、水平面部３３ｂと傾斜面３３ａとの境界部、及び水平面部２３１ｂと傾斜面２３１ａとの境界部にそれぞれ形成された段部（図示省略）に、引出体３０を引き出したときに第１のローラー２２及び第２のローラー３４がぶつかることで、不用意に引出体３０が調理庫２０から抜け落ちるのを防止する機能がある。その他の構成は実施の形態１と同様であるので説明を省略する。
【００２５】
上記のように構成された実施の形態２においては、調理庫２０の前方部の第１のローラー２２と引出体３０側の第１のローラーガイド３３、及び引出体３０の奥側部の第２のローラー３４と調理庫２０側方部の第２のローラーガイド２３が、何れも傾斜面３３ａ、及び傾斜面２３１ａで常時係合されているので、引出体３０に対して常に調理庫２０の中心方向へ調整される力が発生し、その力によってトレーの直進性が向上する。このため、操作性及び操作感が更に良好なものとなる。
【００２６】
なお、上記実施の形態１、２では、第１のローラーガイド３３を、引出体３０を構成するトレー３２と一体に形成したが、これに限定されるものではない。例えば、第１のローラーガイド３３をトレー３２とは別部材で構成し、あるいは引出体３０をトレーとそのトレーを保持するフレームで構成し、該フレーム部分に第１のローラーガイド３３を設けるようにしても差し支えない。また、第２のローラーガイド２３を調理庫２０を構成する筺体によって形成したが、別部材とするなど、種々の変形や変更が可能であることは言うまでもない。さらに、ロースターグリル１０が誘導加熱式の加熱調理器１に付属されている場合について説明したがこれに限定されないことは言うまでもない。例えば、ガスコンロに付属されたものでも良いし、更には加熱調理器１がロースターグリル単体のものでも良い。また、加熱方式はガスやマイクロ波などを用いる他の加熱方式のものであっても差し支えない。
【符号の説明】
【００２７】
１  加熱調理器、  １０  ロースターグリル、  ２０  調理庫、  ２０ａ  開口部、  ２０ｃ  側壁部、  ２１ａ  上ヒーター、  ２１ｂ  下ヒーター、  ２２  第１のローラー、  ２２ａ  Ｃ面、  ２２０  支軸、  ２３、２３Ａ  第２のローラーガイド、  ２３２ａ  傾斜面２３１ａ、  ２３１ｂ  水平面部、  ２３１  下側係止部、  ２３２  上側係止部、  ２３２ａ  上部傾斜面部、  ２３２ｂ  上部水平面部、  ２３２ｃ  鉛直面部、  ２４ａ、２４ｂ  フランジ部、  ３０  引出体、  ３１  グリル扉、  ３２  トレー、  ３２ａ  枠端部、  ３３、３３Ａ  第１のローラーガイド、  ３３ａ  傾斜面、  ３３ｂ  水平面部、  ３３ｃ  鉛直面部、  ３４  第２のローラー、  ３４ａ  Ｃ面、  ３４０  支軸。
【図１】
2011144971.tif 000003
【図２】
2011144971.tif 000004
【図３】
2011144971.tif 000005
【図４】
2011144971.tif 000006
【図５】
2011144971.tif 000007
【図６】
2011144971.tif 000008
【図７】
2011144971.tif 000009
【図８】
2011144971.tif 000010